【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
操作部の操作量に応じたレベルを有する設定信号を出力する設定信号出力手段と、
前記設定信号出力手段から出力される設定信号のレベルの変化率が判定基準を満足しているか否かを判定する設定信号判定手段と、
レベルの変化率が判定基準を満足していることが前記設定信号判定手段で判定された設定信号のレベルと基準値とを比較し、比較結果に応じた音量レベルを示す音量設定信号を出力する音量レベル判定手段を有し、
前記音駆動手段は、前記音量レベル判定手段から出力される音量設定信号で示される音量レベルに応じたレベルの音駆動信号を出力することを特徴とする遊技機。
【請求項２】
請求項１に記載の遊技機であって、
前記設定信号判定手段は、前記設定信号出力手段から出力される設定信号のレベルの変化率が最小変化率設定値以上であるか否かあるいは最大変化率設定値以下であるか否かの少なくとも一方を判定し、
前記音量レベル判定手段は、レベルの変化率が最少変化率設定値以上であることあるいは最大変化率設定値以下であることの少なくとも一方を満足していることが前記設定信号判定手段で判定された設定信号と基準値とを比較し、比較結果に応じた音量レベルを示す音量設定信号を出力することを特徴とする遊技機。
【請求項３】
請求項１または２に記載の遊技機であって、
前記設定信号出力手段は、操作部の操作量に応じて最小抵抗値と最大抵抗値の間で抵抗値が変化する可変抵抗器を有し、前記可変抵抗器の抵抗値に応じたレベルを有する設定信号を出力し、
前記音量レベル判定手段は、前記比較結果に応じて、最小音量レベルと最大音量レベルの間の複数の音量レベルのいずれかを示す音量設定信号を出力し、
前記音駆動手段は、前記音発生手段から最小音量の音を発生させるレベルと最大音量の音を発生させるレベルの間の複数のレベルの中から、前記音量設定信号で示される音量レベルに応じて設定されたレベルを有する音駆動信号を出力する
ことを特徴とする遊技機。
【請求項４】
請求項３に記載の遊技機であって、前記可変抵抗器として回動式可変抵抗器を用いていることを特徴とする遊技機。
【手続補正２】
【補正対象書類名】明細書
【補正対象項目名】０００４
【補正方法】変更
【補正の内容】
【０００４】
第１発明は、請求項１に記載された構成を備える遊技機である。
請求項１に記載の遊技機は、
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
操作部の操作量に応じたレベルを有する設定信号を出力する設定信号出力手段と、
前記設定信号出力手段から出力される設定信号のレベルの変化率が判定基準を満足しているか否かを判定する設定信号判定手段と、
レベルの変化率が判定基準を満足していることが前記設定信号判定手段で判定された設定信号のレベルと基準値とを比較し、比較結果に応じた音量レベルを示す音量設定信号を出力する音量レベル判定手段を有し、
前記音駆動手段は、前記音量レベル判定手段から出力される音量設定信号で示される音量レベルに応じたレベルの音駆動信号を出力することを特徴とする。
設定信号出力手段としては、人が操作可能な操作部を有し、操作部の操作によって抵抗値が連続的に変化する可変抵抗器の抵抗値に応じて連続して変化する電圧値を有する電圧を出力する手段を用いるのが好ましい。
制御手段としては、例えば、遊技機に設けられている主制御手段から出力された主コマンド信号を入力する副制御手段を用いることができる。
設定信号判定手段で用いる判定基準としては、設定信号のレベルの変化が、人が設定信号出力手段の操作部を操作したことによるものであるか、温度や振動等による変動成分によるものであるかを判定することができる判定基準が用いられる。例えば、人が設定信号出力手段の操作部を操作した場合に設定信号出力手段から出力される設定信号のレベルの最大変化率設定値や最小変化率設定値等を用いることができる。この場合、設定信号判定部は、例えば、設定信号のレベルの増加率が最大変化率設定値以下であること、あるいは、設定信号のレベルの減少率が最大減少率設定値以下であることにより、設定信号のレベルの変化率が判定基準の範囲内であること（設定信号のレベルの変化が、人が設定信号出力手段の操作部を操作したことに起因するものであること）を判定する。
音駆動手段としては、例えば、音制御信号に対応する音駆動信号を記憶する記憶手段を有する音源ＩＣを用いることができる。
請求項１に記載の遊技機を用いれば、設定信号出力手段から出力される設定信号が、所望の音量レベルに対応する基準値の間の値となるように操作部を操作すればよいため、操作部の操作が容易である。また、基準値を変更するのみで、音量レベルの段数の設定、さらには、音量レベルに対応する操作部の操作範囲の設定を容易に行うことができる。また、設定信号が判定基準を満足している場合に、設定信号に基づいて音量レベルの判定を行うため、人が操作部を操作していないにも関わらず、音発生手段から発生する音の音量が変化するのを防止することができる。
第２発明は、請求項２に記載された構成を備える遊技機である。
請求項２に記載の遊技機は、請求項１に記載の遊技機であって、前記設定信号判定手段は、前記設定信号出力手段から出力される設定信号のレベルの変化率が最小変化率設定値以上であるか否かあるいは最大変化率設定値以下であるか否かの少なくとも一方を判定し、前記音量レベル判定手段は、レベルの変化率が最少変化率設定値以上であることあるいは最大変化率設定値以下であることの少なくとも一方を満足していることが前記設定信号判定手段で判定された設定信号と基準値とを比較し、比較結果に応じた音量レベルを示す音量設定信号を出力することを特徴とする。
最小変化率設定値や最大変化率設定値としては、人が設定信号出力手段の操作部を操作した場合に設定信号出力手段から出力される設定信号の最小増加率設定値、最大増加率設定値や最小減少率設定値、最大減少率設定値等を用いることができる。
設定信号が判定基準を満足しているか否かは、設定信号のレベルの変化率が最小変化率以上であるか否かあるいは最大変化率設定値以下であるか否かの一方によって判定することができるが、双方によって判定する方法を用いるのが好ましい。
請求項２に記載の遊技機を用いれば、設定信号が判定基準の範囲内であること（設定信号のレベルの変化が温度や振動等に起因する変動成分によるものでないこと）を容易に確実に判定することができる。
第３発明は、請求項３に記載された構成を備える遊技機である。
請求項３に記載の遊技機は、請求項１または２に記載の遊技機であって、前記設定信号出力手段は、操作部の操作量に応じて最小抵抗値と最大抵抗値の間で抵抗値が変化する可変抵抗器を有し、前記可変抵抗器の抵抗値に応じたレベルを有する設定信号を出力し、前記音量レベル判定手段は、前記比較結果に応じて、最小音量レベルと最大音量レベルの間の複数の音量レベルのいずれかを示す音量設定信号を出力し、前記音駆動手段は、前記音発生手段から最小音量の音を発生させるレベルと最大音量の音を発生させるレベルの間の複数のレベルの中から、前記音量設定信号で示される音量レベルに応じて設定されたレベルを有する音駆動信号を出力することを特徴とする。
可変抵抗器としては、抵抗値が連続して変化する可変抵抗器を用いるのが好ましい。
可変抵抗の最小抵抗値や設定信号の最小レベルは「０」であってもよい。この場合には、音量レベル判定手段は、設定信号のレベルが、最小レベル「０」を含むレベルの時に、最小音量レベルを示す音量設定信号を出力するように構成する。
請求項３に記載の遊技機を用いれば、可変抵抗器の抵抗値は最小抵抗値（最小抵抗値位置）と最大抵抗値（最大抵抗値位置）の間で変更可能に構成されているとともに、可変抵抗器の抵抗値が最小値の時（可変抵抗器の可動部が最小抵抗値位置にある時）には音量レベルが最小音量レベルに設定されるため、可変抵抗器の可動部を最小抵抗値位置に駆動するのみで最小音量レベルの設定を行うことができ、操作が簡単である。
第４発明は、請求項４に記載された構成を備える遊技機である。
請求項４に記載の遊技機は、請求項３に記載の遊技機であって、前記可変抵抗器として回動式可変抵抗器を用いていることを特徴とする。
請求項４に記載の遊技機を用いれば、設定信号出力手段の設置スペースが小さくてすみ、操作量の調整も容易である。
【手続補正３】
【補正対象書類名】明細書
【補正対象項目名】０００５
【補正方法】変更
【補正の内容】
【０００５】
請求項１〜４に記載の遊技機を用いれば、設定信号出力手段から出力される設定信号が、所望の音量レベルに対応する基準値の間の値となるように操作部を操作すればよいため、操作部の操作が容易である。
また、基準値を変更するのみで、音量レベルの段数の設定、さらには、音量レベルに対応する操作部の操作範囲の設定を容易に行うことができる。
また、設定信号が判定基準を満足している場合に、設定信号に基づいて音量レベルの判定を行うため、人が操作部を操作していないにも関わらず、音発生手段から発生する音の音量が変化するのを防止することができる。